(57)【要約】【課題】  多様性に富む使用ができ、特にカメラ，レンズ等の機器やフィルム等を極めて効率的且つ十分な衝撃保護状態にに収納することができるバッグを提供すること。【解決手段】  バッグ本体１と、該バッグ本体１の収納内部Ｓの左側又は右側のいずれか側部材１ｃ，１ｄ付近に一端が連結され前記バッグ本体１を水平面を直交する方向に仕切る仕切り部材５と、前記バッグ本体１の底部で且つ左側又は右側のいずれかの側部材１ｃ，１ｄ付近に一端が連結された平帯状の下部支持マット部材６とを設けること。前記仕切り部材５は、複数の平板状部５ａ，５ａ，…が連続してつながり，そのつなぎ部５ｊで適宜折り曲げ自在としてなること。【選択図】      図１
2005137523.tif 000002
【特許請求の範囲】
【請求項１】
バッグ本体と、該バッグ本体の収納内部の左側又は右側のいずれか側面部材付近に一端が連結され前記バッグ本体を水平面を直交する方向に仕切る仕切り部材と、前記バッグ本体の底部で且つ左側又は右側のいずれかの側面部材付近に一端が連結された平帯状の下部支持マット部材とを設けてなり、前記仕切り部材は、複数の平板状部が連続してつながり，そのつなぎ部で適宜折り曲げ自在としてなることを特徴とするバッグ。
【請求項２】
請求項１において、前記平板状部は、弾性且つ復元性を備えた芯材を有することを特徴とするバッグ。
【請求項３】
請求項１又は２において、前記仕切り部材の自由端側には、布ファスナが設けられ、且つ収納内部の適宜の位置に前記布ファスナを介して着脱自在に接合されてなることを特徴とするバッグ。
【請求項４】
請求項１，２又は３において、前記収納内部の左右いずれかの側面部材の外面側には包持片が略２つ折り状態に折畳み自在とした包持部と、該包持部の包持片に装着された収納支持部とからなり、前記包持部の包持片の略上半分は前記バッグ本体の側面部に装着された補助収納部が具備されてなることを特徴とするバッグ。
【発明の詳細な説明】
【技術分野】
【０００１】
本発明は、多様性に富む使用ができ、特にカメラ，レンズ等の機器やフィルム等を極めて効率的に収納することができるバッグに関する。
【背景技術】
【０００２】
近年、種々の目的に応じたバッグが開発されている。このようなバッグは、収納部内の仕切り構造に種々の工夫がなされたものが多い。また、最近では多くの人々がカメラを持ち歩く機会が増えている。そのカメラも望遠レンズが装着された比較的大型のものや、各種レンズが交換可能なもの等が一般の人々にも使用されるようになってきた。ところで、このような、カメラを収納するための専用バッグは、下記特許文献１に示すように、すでに存在している。これらの専用バッグは、たしかにカメラ及び付属品の収納には好適である。
【０００３】
【特許文献１】特開平１１−３４６８１８号
【発明の開示】
【発明が解決しようとする課題】
【０００４】
カメラ専用バッグは、当然のことながらカメラ専用に製作されたものであり、カメラを収納する機能性には非常に優れたものといえる。特にカメラ，レンズ及びフィルム等それぞれのパーツを効率良く収納するために部屋の仕切りが重要である。この仕切りも適宜に変更することができるものが多いが、仕切り板等により行うものであり、バッグが大型化となる傾向にある。さらに、バッグのデザインは、いかにもカメラ専用なものが多く、カメラ専門家やマニア以外の人々には扱いにくい面も十分にある。本発明の課題（技術的課題又は目的等）は、カメラ及びその付属品等を極めて効率的に収納し、且つそのデザインもカメラ専門家，マニア以外の人々にも扱いやすいものとすることにある。
【課題を解決するための手段】
【０００５】
そこで、発明者は、上記課題を解決すべく、鋭意，研究を行った結果、本発明を、収納部と、該収納部の左側又は右側のいずれかの側面部で且つ左側又は右側のいずれかの側部付近に一端が連結された水平面方向に仕切る水平仕切り部材と、収納部の底部で且つ左側又は右側のいずれかの側部付近に一端が連結された垂直面方向に仕切る垂直仕切り材とを設けてなり、前記水平仕切り部材及び垂直仕切り部材は、複数の平板状部が連続してつながりそのつなぎ部は折り曲げ自在としてなるバッグとしたことにより、上記課題を解決したものである。
【０００６】
次に、前述の構成において、前記平板状部は、弾性且つ復元性を備えた芯材を有するバッグとしたことにより上記課題を解決したものである。次に、前述の構成において、前記仕切り部材の自由端側には、布ファスナが設けられ、且つ収納内部の適宜の位置に前記布ファスナを介して着脱自在に接合されてなることを特徴とするバッグとしたことにより上記課題を解決したものである。
【０００７】
次に、前述の構成において、前記収納内部の左右いずれかの側面部材の外面側には包持片が略２つ折り状態に折畳み自在とした包持部と、該包持部の包持片に装着された収納支持部とからなり、前記包持部の包持片の略上半分は前記バッグ本体の側面部に装着された補助収納部が具備されてなるバッグとしたことにより上記課題を解決したものである。
【発明の効果】
【０００８】
請求項１の発明によれば、収納部内に極めて簡単に仕切りを設けることができ、カメラ，レンズ及びフィルム等を効率的に且つ安定した状態で収納することができる。次に、請求項２の発明によれば、収納されたカメラ等を衝撃から保護することができる。請求項３の発明によれば、収納部にかかる外力に対して仕切りを安定且つ比較的強固なものにできる。請求項４の発明によれば、仕切り部材はバッグをカメラの収納に使用しないときには、副ポケットとして使用することができる。請求項５の発明によれば、ペットボトル等の収納を容易にできるし、カメラの付属部品等も収納することができる。
【発明を実施するための最良の形態】
【０００９】
以下、本発明の実施形態を図面に基づいて説明する。本発明は、図１，図２にバッグ本体１は正面部材１ａ，背面部材１ｂ，右側面部材１ｃ，左側面部材１ｄ及び底面部材１ｅとから構成されている。本発明のバッグには、ショルダーバッグタイプとボストンバッグタイプ（ダレスバッグ等も含む）等が存在する。そのバッグ本体１には、蓋部２が設けられている。バッグ本体１と蓋部２とは連結具３によって、閉じ状態を維持する。その連結具３は、連結金具部３ａと連結帯部３ｂとからなり、連結帯部３ｂが連結金具部３ａにベルト状に連結されるものである。この連結具３は、蓋部２及びバッグ本体１の正面部材１ａの幅方向で適宜の間隔をおいて２組が設けられている。また、連結具３が蓋部２の幅方向の中央に１組のみ設けられることもある。その蓋部２には手提げ部４が設けられている。さらに、図１に示すように、バッグ本体１には肩掛け用のベルト１０が着脱自在に装着されている。
【００１０】
次に、そのバッグ本体１の正面部材１ａには、仕切り部材５と下部支持マット部材６とが装着されている。その仕切り部材５は、バッグ本体１の収納内部Ｓを水平面方向において仕切る役目をなす部材である。また下部支持マット部材６は、前記バッグ本体１の収納内部Ｓを垂直面方向において仕切る役目をなす部材である。そのバッグ本体１の水平面方向とは、バッグ本体１を上面側より見た面であり、この「水平面上を仕切る」ということは、その水平面に直交する方向に沿って仕切り壁を設けることをいう。具体的には、図１，図２（Ａ）に示すように、前記バッグ本体１の上面開口部から底面部材１ｅに亘って上下方向に仕切り部材５にて壁状に仕切ることである。同様に、そのバッグ本体１の垂直面方向とは、バッグ本体１を側面より見た断面であり、この垂直面上を仕切るとはバッグ本体１の正面部材１ａ及び背面部材１ｂの平行面に対して直交する方向に沿って壁状に仕切ることである。
【００１１】
その仕切り部材５は、図３，図４（Ａ）等に示すように、複数の平板状部５ａ，５ａ，…から構成されている。その複数の平板状部５ａ，５ａ，…は、連続してつながっており、そのつながり箇所では、適宜折り曲げ自在となっている。をの平板状部５ａは、略長方形の板形状に形成され、後述するように、収納内部Ｓの仕切りを容易且つ効率的に行うことができるようになっている。その隣接する平板状部５ａ，５ａのつなぎ箇所は、つなぎ部５ｊと称する。その仕切り部材５の構造は、被覆材５ｂにより、平板状部５ａを形成する芯材５ａ1 が被覆されて形成されたものである。
【００１２】
その被覆材５ｂは、具体的には布地により形成されたもので、帯形の袋状材として形成されたものである。その平板状部５ａの厚さは、約１０mm程度である。しかし、特にこの厚さ寸法に限定されるものではなく、用途に応じて平板状部５ａの厚さは適宜変更されてもかまわない。そして、図４（Ｂ）に示すように、その袋状材に複数の前記芯材５ａ1 ，５ａ1 ，…が包まれようにして内装され、隣接する芯材５ａ1 ，５ａ1 間につなぎ部５ｊが形成される。
【００１３】
その被覆材５ｂは、内装された隣接する平板状部５ａ，５ａの間に、図４（Ｃ）に示すように、ミシン目状の縫着部としたつなぎ部５ｊが形成されることになる。該つなぎ部５ｊは、糸縫いとして、被覆材５ｂ内で隣接する芯材５ａ1 ，５ａ1 同士が離間するようになっている。また、前記つなぎ部５ｊ箇所により、前記隣接する平板状部５ａ，５ａ同士が折り畳み状態で折り曲げ自在となる。その仕切り部材５を構成する被覆材５ｂの一端は、背面部材１ｂと左側面部材１ｄとの隣合うつなぎ目箇所に縫着されている。そして、仕切り部材５の他端側は自由端部となっており、背面部材１ｂの他端側或いは正面部材１ａ側等適宜の位置に配置される。
【００１４】
仕切り部材５を構成する被覆材５ｂの自由端側には、細長形状の仕切端部５ｃが形成され、図３に示すように、該仕切端部５ｃに布ファスナ７が設けられている。該布ファスナ７は、鉤状起毛布部７ａと環状起毛布部７ｂとから構成され、被覆材５ｂの自由端側には前記鉤状起毛布部７ａ又は環状起毛布部７ｂのいずれか一方が縫着され、バッグ本体１の収納内部Ｓにおける適宜の箇所に鉤状起毛布部７ａ又は環状起毛布部７ｂの他方が装着される。具体的には、背面部材１ｂの幅方向端部箇所に布ファスナ７の他方が装着され、図６（Ａ）に示すように、収納内部Ｓを左右２室に仕切る状態と、図７（Ｂ）に示すように、仕切りを解除した状態に構成することができる。
【００１５】
その平板状部５ａ，５ａ，…は、適宜の厚さを有する平板形状をなしている。そして、平板状部５ａの芯材５ａ1 としては、適宜に弾性を有したものが好適であり、さらに復元性が有り、柔軟性を有するものでありながら且つある程度硬質なものが好適である。そして、硬い物体が圧力を以て当接すると凹むが、その物体が離されると元の形状に復元するようなものが特に好ましい。このような材質として、スポンジ，ゴム，弾性を有する合成樹脂、繊維材等が使用される。また、平板状部５ａは、復元性を有し、且つ柔軟性でありながら、その形状を適度に維持できる程度の硬さのある芯材５ａ1 を使用することで、仕切り部材５によるバッグ本体１の収納内部Ｓ内の仕切りが確実に行われるし、また内部の収納したカメラ１１等の物品を衝撃から保護することができる。
【００１６】
この仕切り部材５は、図３，図４（Ａ）に示すように、４個の平板状部５ａ，５ａ，…がつなぎ部５ｊを介してつながっているものであり、仕切り部材５の長さは、図７（Ａ），（Ｂ）に示すように、バッグ本体１の幅方向の寸法に略等しくなっている。そして、仕切り部材５の略中央箇所のつなぎ部５ｊ箇所で折り曲げると、バッグ本体１の収納内部Ｓを水平面上において正面部材１ａ又は背面部材１ｂに対して略直角となるように、バッグ本体１の収納内部Ｓを左右略半分に仕切ることができるようになっている〔図１，図２（Ａ）参照〕。また、その仕切り部材５を折り曲げることなく、全体を略平坦状にして、背面部材１ｂに沿って配列し、布ファスナ７等で背面部材１ｂに仕切り部材５の自由端側を固定することでサイドポケットの役目をなすものである。
【００１７】
次に、下部支持マット部材６は、図５（Ａ），（Ｂ）に示すように、前記仕切り部材５と同様に下部平板状部６ａ，６ａ，…がつながって構成され、これらの下部平板状部６ａ，６ａ，…は、複数の芯材６ａ1 ，６ａ1 ，…が下部包み材６ｂ内に装着されている。この芯材６ａ1 ，６ａ1 ，…は、前記仕切り部材５の平板状部５ａと同様の材質で、スポンジ，ゴム，弾性を有する合成樹脂、繊維材等である。
【００１８】
特に、下部支持マット部材６の芯材６ａ1 は、後述するようにフィルム箱１１を包むことがあり、柔軟な素材が好適である。その下部平板状部６ａの厚さは、約１０mm程度であること好ましいが、特にこの厚さ寸法に限定されるものではなく、用途に応じてその厚さは適宜変更されてもかまわない。この芯材６ａ1 ，６ａ1 ，…は、平帯状の包み材６ｂに内装され、隣接する芯材６ａ1 ，６ａ1 ，…同士の間には縫着が設けられ、つなぎ部６ｊとして折曲げ自在なものとなっている。
【００１９】
この下部支持マット部材６は、図５（Ｃ）に示すように、前記仕切り部材５と同様に、適宜に折り曲げられて使用されるものであり、前記つなぎ部６ｊ箇所を折曲げ箇所として使用することが好適である。図５（Ａ）に示されたものでは、７個の下部平板状部６ａ，６ａ，…が一列につながっている。さらに、この下部支持マット部材６は、図５（Ｃ）に示すように、複数のフィルム箱１２，１２，…を並列させたものを巻き込むようにして包み込み、この状態が略直方体状をなすことになる。
【００２０】
特に、下部支持マット部材６は、上述したように並列した複数のフィルム箱１２，１２，…を巻き込むようにして包み込み、略直方体状にすることで、図６（Ａ），（Ｂ）に示すように、バッグ本体１にカメラ１１を安定した状態に収納することができる。具体的には、カメラ１１のレンズ部分をバッグの下部側から支持する役目をなすものである〔図６（Ｂ）参照〕。この下部支持マット部材６は、前記仕切り部材５よりも柔軟性を有しており、前述したように、フィルム箱１２，１２，…を並列配置したものを巻き込み易い柔らかさとなっている。また、レンズ等の精密機器を十分に保護することができるものとなっている。
【００２１】
そのバッグ本体１の収納内部Ｓには、図１，図２（Ａ），図６（Ａ），（Ｂ）に示すように、レンズ収納袋８が設けられている。該レンズ収納袋８は、袋部８ａの収納口８ｂの周囲に締め紐通し部８ｂ1 が形成され、該締め紐通し部８ｂ1 に締め紐８ｃが装着されたものである。このレンズ収納袋８には、カメラ１１のレンズが収納されるようになっている。このレンズ収納袋８を使用する場合には、前記仕切り部材５により、バッグ本体１の収納内部Ｓを略半分に仕切って使用することが好ましい。
【００２２】
次に、補助収納部９は、図８（Ａ），（Ｂ）に示すように、包持部９ａ及び収納支持部９ｂから構成される。その包持部９ａは、シート状の包持片９ａ1 から構成される。その包持片９ａ1 は、上下方向に沿って略２つ折りの構造となっている。その包持片９ａ1 は、折畳みによりその一方は前記バッグ本体１の右側面部材１ｃ又は左側面部材１ｄに接合されるものである。その包持部９ａにおいて、２つ折りとした折り返し状態を維持するために、連結部９ｃがバッグ本体１の側面部材にそれぞれ設けられている。
【００２３】
次に、収納支持部９ｂは、物品を収納する部位であり、前記包持部９ａの包持片９ａ1 に装着される。そして、包持片９ａ1 の折畳みによって、収納支持部９ｂは、図１，図２（Ｂ）等に示すように、適宜に畳まれて収容されるものである。その収納支持部２は、比較的柔軟な生地により形成されており、適宜に畳みやすいものとなっているが、丈夫な生地で耐久性のある構造にすることが好ましい。その収納支持部９ｂは、、図８（Ｃ）に示すように、袋状に形成され、ペットボトル等の飲料容器を収納することができる。また、カメラ１１の付属品或いはフィルム等も収納することができる。
【００２４】
図９（Ａ），（Ｂ）は、本発明において、ボストンバッグ又はダレスバッグタイプとしたものである。そのサイズは、前記ショルダータイプのバッグよりもバッグ本体１の厚さが厚くなっている。具体的には、カメラ１１の横方向をバッグ本体１の厚さ方向に沿って、且つ底面部材１ｅに対して平行となるように収納することができる。下部支持マット部材６によって巻き付けることができる並列されたフィルム箱１２，１２，…の数も多くすることができる。
【００２５】
本発明では、バッグ本体１の収納内部Ｓの左側又は右側のいずれか側面部材付近に一端が連結され前記バッグ本体１を水平面方向を仕切る仕切り部材５と、前記バッグ本体１の底部で且つ左側又は右側のいずれかの側面部材付近に一端が連結され前記バッグ本体１の平帯状の下部支持マット部材６とを設けている。前記仕切り部材５は、複数の平板状部５ａ，５ａ，…が連続してつながり，そのつなぎ部５ｊで適宜折り曲げ自在としているので、仕切り部材５は、そのつなぎ部５ｊを介して適宜折り曲げができ、バッグ本体１の収納内部Ｓにて所望の仕切り壁状体を構成することができる。
【００２６】
これによって、バッグ本体１をカメラ１１及び付属品の収納として使用する場合に、最も都合のよい、効率的且つ整然とした収納ができる仕切りを有する収納内部Ｓにできる。また、下部支持マット部材６は、並列したフィルム箱１２，１２，…を巻き付けるようにすることで、略直方体状にすることができ、この直方体状部が前記仕切り部材５により仕切られた収納内部Ｓにて段差状部を構成することになる。したがって、収納内部Ｓにて仕切り部材５により仕切られた部位にカメラ１１を収納したときに、レンズの部分を前記並列したフィルム箱１２，１２，…を巻き付けた下部支持マット部材６の直方体状部分が支持することにより、カメラ１１を極めて安定した状態にすることができる。
【００２７】
その仕切り部材５の平板状部５ａに弾性を有する材質を使用することで、収納されたカメラ１１を外部や衝撃から保護することができる。また前記平板状部５ａは、比較的形状を維持することができる準硬質性とすることで、収納内部Ｓの仕切り部材５を極めて安定した状態にしておくことができる。また、前記下部支持マット部材６の自由端側には、布ファスナ７が設けられ、且つ収納内部Ｓ側の正面部材１ａ，背面部材１ｂ，右側面部材１ｃ又は左側面部材１ｄのいずれかの側面に、着脱自在に接合されるようにすることで、仕切り部材５をより一層安定した状態にすることができる。
【００２８】
また、前記収納内部Ｓの左右いずれかの側面部材の外面側には包持片９ａ1 が略２つ折り状態に折畳み自在とした包持部９ａと、該包持部９ａの包持片９ａ1 に装着された収納支持部９ｂとからなり、前記包持部９ａの包持片９ａ1 の略上半分は前記バッグ本体１の側面部（右側面部材１ｃ又は左側面部材１ｄ）に装着されることにより、バッグ本体１の外部にて、補助収納部９を組み立てることができ、ペットボトル等の飲料容器を収納したり、又は折り畳み傘，カメラ用三脚等を収納することができる。また、特に図示しないが、前記仕切り部材５は、バッグ本体１から独立した部材とすることがあり、適宜バッグ本体１の収納内部Ｓに配置され、その仕切り部材５をつなぎ部５ｊ箇所で折り曲げて使用することで、カメラ１１を支持することも可能である。なお、本発明のバッグは、カメラの収納を行わない場合には、通常のショルダーバッグ，ボストンバッグ等として使用することができるものである。
【図面の簡単な説明】
【００２９】
【図１】本発明におけるバッグの蓋部を開いた状態の斜視図である。
【図２】（Ａ）はバッグの蓋部を開いた状態の平面斜視図、（Ｂ）はバッグの蓋部を閉じた状態の正面図である。
【図３】仕切り部材の斜視図である。
【図４】（Ａ）は仕切り部材の平面図、（Ｂ）は仕切り部材の要部拡大断面図、（Ｃ）は（Ｂ）をさらに拡大した断面図である。
【図５】（Ａ）は下部支持マット部材の斜視図、（Ｂ）は（Ａ）の要部拡大断面図、（Ｃ）は下部支持マット部材によって並列するフィルム箱を巻き付けるように包んだ状態の斜視図である。
【図６】（Ａ）はバッグ本体の収納内部にカメラを収納した状態の内部平面図、（Ｂ）は（Ａ）のＸ−Ｘ矢視断面図である。
【図７】（Ａ）はバッグ本体の収納内部にカメラを収納しない状態の縦断正面図、（Ｂ）は（Ａ）の内部平面図である。
【図８】（Ａ）は補助収納部の斜視図、（Ｂ）は補助収納部を開いた状態の斜視図、（Ｃ）は補助収納部にペットボトルを収納した状態の断面図である。
【図９】（Ａ）は本発明においてボストンバッグタイプとした一部切除した正面図、（Ｂ）は蓋を開けた状態の平面図である。
【符号の説明】
【００３０】
１…バッグ本体
Ｓ…収納内部
５…仕切り部材
５ａ…平板状部
５ｊ…つなぎ部
６…下部支持マット部材
７…布ファスナ
【図１】
2005137523.tif 000003
【図２】
2005137523.tif 000004
【図３】
2005137523.tif 000005
【図４】
2005137523.tif 000006
【図５】
2005137523.tif 000007
【図６】
2005137523.tif 000008
【図７】
2005137523.tif 000009
【図８】
2005137523.tif 000010
【図９】
2005137523.tif 000011